(57)【要約】【課題】省エネルギー状態において着信があった場合であっても、ファクシミリの受信を確実に行うことが可能なファクシミリ装置を提供する。【解決手段】本発明に係るファクシミリ装置が搭載されたＭＦＰ１は、ＰＳＴＮ９４から受信された呼出信号を検出する呼出信号検出回路２２と、ファクシミリの通信処理を行うＦＡＸ通信部３０と、サーバとしての機能を有するネットワーク通信部１５と、ＦＡＸ通信部３０及びネットワーク通信部１５に対する通電を制御する通電制御部５３とを備える。通電制御部５３は、スーパースリープモードで呼出信号が検出された際に、ＦＡＸ通信部３０及びネットワーク通信部１５に対する通電を開始し、起動が完了したＦＡＸ通信部３０は、ネットワーク通信部１５において行われている起動処理と並行して、ファクシミリの通信処理を開始する。【選択図】図２
2012109764.tif 000002
【特許請求の範囲】
【請求項１】
電話回線網から受信された呼出信号を検出する検出手段と、
ファクシミリの通信処理を行うＦＡＸ通信手段と、
画像データに対する処理を行う処理手段と、
前記ＦＡＸ通信手段及び前記処理手段に対する通電を制御する通電制御手段と、
を備え、
前記通電制御手段は、前記ＦＡＸ通信手段及び前記処理手段に対する通電が停止されている状態で、前記検出手段によって呼出信号が検出された際に、前記ＦＡＸ通信手段に対する通電を開始し、
起動が完了した前記ＦＡＸ通信手段は、前記処理手段において行われている起動処理と並行して、ファクシミリの通信処理を開始することを特徴とするファクシミリ装置。
【請求項２】
前記通電制御手段は、前記ＦＡＸ通信手段及び前記処理手段に対する通電が停止されている状態で、前記検出手段によって呼出信号が検出された際に、前記ＦＡＸ通信手段に対する通電を開始し、起動が完了したＦＡＸ通信手段によってＣＮＧ信号が検出された際に、前記処理手段に対する通電を開始し、
起動が完了した前記ＦＡＸ通信手段は、前記ＣＮＧ信号を検出した際に、前記処理手段において行われている起動処理と並行して、ファクシミリの通信処理を開始することを特徴とする請求項１に記載のファクシミリ装置。
【請求項３】
前記通信制御手段は、前記ＦＡＸ通信手段及び前記処理手段に対する通電が停止されている状態で、前記検出手段によって呼出信号が検出された際に、前記ＦＡＸ通信手段及び前記処理手段に対する通電を開始し、
起動が完了した前記ＦＡＸ通信手段は、前記処理手段において行われている起動処理と並行してファクシミリの通信処理を開始することを特徴とする請求項１に記載のファクシミリ装置。
【請求項４】
前記処理手段は、前記ＦＡＸ通信手段によって受信されたファクシミリデータを印刷する印刷手段であり、
前記印刷手段は、前記ＦＡＸ通信手段による通信処理と並行して起動処理を行った場合、該起動処理の完了後、前記ＦＡＸ通信手段によって受信されたファクシミリデータの印刷を行うことを特徴とする請求項２又は３に記載のファクシミリ装置。
【請求項５】
前記処理手段は、
画像データを記憶する記憶手段と、
前記記憶手段によって記憶された画像データを、ネットワークを介して接続された外部装置へ提供する提供手段と、
を有することを特徴とする請求項３に記載のファクシミリ装置。
【請求項６】
前記検出手段によって検出された信号の波形に基づいて、該信号が呼出信号か否かを判定する判定手段を備え、
前記通電制御手段は、前記検出手段によって検出された信号が前記判定手段によって呼出信号であると判定された場合に、前記ＦＡＸ通信手段に対する通電を開始することを特徴とする請求項１〜５のいずれか１項に記載のファクシミリ装置。
【発明の詳細な説明】
【技術分野】
【０００１】
本発明は、ファクシミリ装置に関する。
【背景技術】
【０００２】
近年、ＣＯ２排出量削減などの観点から、電子機器の省電力化が図られている。ファクシミリ装置については、例えば待機時にプリンタ部に対する通電を停止して省エネルギー状態に移行することにより、省電力化を図ったものがある（下記特許文献１参照）。この特許文献１に記載されたファクシミリ装置では、省エネルギー状態において着信があると、省エネルギー状態が解除され、ファクシミリ装置は通常状態に移行する。その後、ファクシミリ装置はＦＡＸの受信を開始する。
【先行技術文献】
【特許文献】
【０００３】
【特許文献１】特開平９−５５８１２号公報
【発明の概要】
【発明が解決しようとする課題】
【０００４】
ところで、ファクシミリの通信処理は、回線の確立後に発呼側のファクシミリ装置がＣＮＧ信号を着呼側のファクシミリ装置へ送信することにより開始される。着呼側のファクシミリ装置は、ＣＮＧ信号に対する応答信号としてＤＩＳ信号を返信する。発呼側のファクシミリ装置は、一般的にＣＮＧ信号を送信してからＴ１時間（３５秒）以内にＤＩＳ信号を受信しない場合、回線を切断する。
【０００５】
一方、上記特許文献１に記載されたファクシミリ装置では、省エネルギー状態において着信を受けた場合、通常状態に移行してからファクシミリの通信処理を開始する。ファクシミリ装置において通常状態への移行が完了するには、プリンタ部も含めてファクシミリ装置全体の起動が完了する必要がある。プリンタ部の起動が完了するには、定着器の温度が印刷可能な温度に達する必要があるので、時間が比較的長くかかる。通常状態への移行が完了するまでにかかる時間が長いと、ＤＩＳ信号を返信する前にＴ１時間が経過し、発呼側のファクシミリ装置から回線が切断される虞がある。
【０００６】
また、例えば、ファクシミリ装置が、画像データを蓄積してサーバとしての機能を有する場合がある。省エネルギー状態において、サーバとして機能するユニットの通電を停止していた場合、着信時に通常状態へ移行する際には、サーバユニットの起動が完了する必要がある。このサーバユニットの起動には、ストレージに蓄積された画像データを読み込む等の初期化処理に比較的時間が長くかかるので、Ｔ１時間が経過する前にサーバユニットの起動が完了しない虞がある。以上説明したように、省エネルギー状態において着信があった場合、通常状態への移行が完了するまでにかかる時間が長いと、発呼側のファクシミリ装置から回線が切断され、ファクシミリの受信が実行できない虞がある。
【０００７】
そこで本発明は、上記問題点を解消するためになされたものであり、省エネルギー状態において着信があった場合であっても、ファクシミリの受信を確実に行うことが可能なファクシミリ装置を提供することを目的とする。
【課題を解決するための手段】
【０００８】
本発明に係るファクシミリ装置は、電話回線網から受信された呼出信号を検出する検出手段と、ファクシミリの通信処理を行うＦＡＸ通信手段と、画像データに対する処理を行う処理手段と、ＦＡＸ通信手段及び処理手段に対する通電を制御する通電制御手段とを備え、通電制御手段は、ＦＡＸ通信手段及び処理手段に対する通電が停止されている状態で、検出手段によって呼出信号が検出された際に、ＦＡＸ通信手段に対する通電を開始し、起動が完了したＦＡＸ通信手段は、処理手段において行われている起動処理と並行して、ファクシミリの通信処理を開始することを特徴とする。
【０００９】
本発明に係るファクシミリ装置では、ＦＡＸ通信手段および処理手段に対する通電が停止された状態、すなわち省エネルギー状態において、呼出信号が検出された際、ＦＡＸ通信手段に対する通電が開始される。そして、ＦＡＸ通信手段の起動が完了した後、処理手段において行われている起動処理と並行して、ファクシミリの通信処理が開始される。すなわち、処理手段に対する通電が開始された後、処理手段の起動完了を待たずに、処理手段の起動処理と並行してファクシミリの通信処理が開始されるので、Ｔ１時間以内にＣＮＧ信号に対する応答を確実に行うことができる。これにより、回線が切断されることを防止できる。従って、省エネルギー状態において着信があった場合であっても、ファクシミリの受信を確実に行うことができる。
【００１０】
本発明に係るファクシミリ装置では、通電制御手段が、ＦＡＸ通信手段及び処理手段に対する通電が停止されている状態で、検出手段によって呼出信号が検出された際に、ＦＡＸ通信手段に対する通電を開始し、起動が完了したＦＡＸ通信手段によってＣＮＧ信号が検出された際に、処理手段に対する通電を開始し、起動が完了したＦＡＸ通信手段は、ＣＮＧ信号を検出した際に、処理手段において行われている起動処理と並行して、ファクシミリの通信処理を開始することが好ましい。
【００１１】
この構成によれば、省エネルギー状態において呼出信号が検出された際、ＦＡＸ通信手段に対する通電が開始される。そして、起動が完了したＦＡＸ通信手段によってＣＮＧ信号が検出された際に、処理手段に対する通電が開始されると共に、ＦＡＸ通信手段によってファクシミリの通信処理が開始される。この構成では、ＣＮＧ信号が検出されるまで処理手段には電力が供給されないので、処理手段の起動が完了するタイミングが遅れるが、処理手段において行われている起動処理と並行して、ファクシミリの通信処理が開始されるので、Ｔ１時間以内にＣＮＧ信号に対する応答を行うことができる。従って、ＣＮＧ信号が検出されるまで処理手段に対する通電を開始しない場合であっても、ファクシミリの受信を確実に行うことが可能となる。
【００１２】
本発明に係るファクシミリ装置では、通信制御手段が、ＦＡＸ通信手段及び処理手段に対する通電が停止されている状態で、検出手段によって呼出信号が検出された際に、ＦＡＸ通信手段及び処理手段に対する通電を開始し、起動が完了したＦＡＸ通信手段は、処理手段において行われている起動処理と並行してファクシミリの通信処理を開始することが好ましい。
【００１３】
この構成によれば、省エネルギー状態において呼出信号が検出された際、ＦＡＸ通信手段及び処理手段に対する通電が開始される。ＦＡＸ通信手段の起動が完了した後、処理手段において行われている起動処理と並行してファクシミリの通信処理が開始される。従って、Ｔ１時間以内にＣＮＧ信号に対する応答を行うことができる。従って、処理手段の起動に比較的長い時間が必要な場合であっても、ファクシミリの受信を確実に行うことができる。
【００１４】
本発明に係るファクシミリ装置では、処理手段が、ＦＡＸ通信手段によって受信されたファクシミリデータを印刷する印刷手段であり、印刷手段が、ＦＡＸ通信手段による通信処理と並行して起動処理を行った場合、該起動処理の完了後、ＦＡＸ通信手段によって受信されたファクシミリデータの印刷を行うことが好ましい。
【００１５】
この構成によれば、ＦＡＸ通信手段および印刷手段に対する通電が停止された状態、すなわち省エネルギー状態において、呼出信号が検出された際、ＦＡＸ通信手段に対する通電が開始される。このＦＡＸ通信手段の起動が完了した後、印刷手段において行われている起動処理と並行して、ファクシミリの通信処理が開始される。これにより、Ｔ１時間以内にＣＮＧ信号に対する応答を確実に行うことができる。そして、印刷手段の起動完了後、受信されたファクシミリデータが印刷される。これにより、ファクシミリの受信が開始された時点で印刷手段の起動が完了していない場合であっても、印刷手段の起動完了後、ファクシミリデータを確実に印刷することができる。すなわち、印刷せずにメモリにファクシミリデータを蓄積するメモリ受信を行わずに、ファクシミリデータを確実に印刷することができる。従って、省エネルギー状態において着信があって、印刷手段の起動が完了するタイミングが比較的遅い場合であっても、ファクシミリの受信及び印刷を確実に行うことができる。
【００１６】
本発明に係るファクシミリ装置では、処理手段が、画像データを記憶する記憶手段と、記憶手段によって記憶された画像データを、ネットワークを介して接続された外部装置へ提供する提供手段とを有することが好ましい。
【００１７】
この構成によれば、画像データを記憶する記憶手段を備え、記憶された画像データを自機とネットワークを介して接続された外部装置へ提供するサーバ機能を処理手段によって発揮することができる。そして、ＦＡＸ通信手段および処理手段に対する通電が停止された状態、すなわち省エネルギー状態において、呼出信号が検出された際、ＦＡＸ通信手段及び処理手段に対する通電が開始される。処理手段は、画像データを記憶する記憶手段を備えるために、起動処理に比較的長く時間がかかるが、処理手段において行われる起動処理と並行してファクシミリの通信処理が開始されるので、Ｔ１時間以内にＣＮＧ信号に対する応答を行うことができる。従って、省エネルギー状態において着信があって、サーバ機能を有するために処理手段の起動が比較的長く時間がかかる場合であっても、ファクシミリの受信を確実に行うことができる。
【００１８】
本発明に係るファクシミリ装置では、検出手段によって検出された信号の波形に基づいて、該信号が呼出信号か否かを判定する判定手段を備え、通電制御手段が、検出手段によって検出された信号が判定手段によって呼出信号であると判定された場合に、ＦＡＸ通信手段に対する通電を開始することが好ましい。
【００１９】
この構成によれば、検出手段によって検出された信号がノイズである場合は、判定手段によって呼出信号と判定されないので、ＦＡＸ通信手段に対する通電は開始されない。従って、ノイズを誤って呼出信号として検出することにより、ＦＡＸ通信手段に電力が供給されることを防止できる。これにより、更なる省電力化を実現することができる。
【発明の効果】
【００２０】
本発明のファクシミリ装置によれば、省エネルギー状態において着信があった場合であっても、ファクシミリの受信を確実に行うことが可能となる。
【図面の簡単な説明】
【００２１】
【図１】実施形態に係るファクシミリ装置が搭載されたＭＦＰの構成を示すブロック図である。
【図２】ＭＦＰが備えるＣＰＵ、モデム、及びＮＣＵの構成を説明するための図である。
【図３】ＦＡＸモードについて説明するための図である。
【図４】電話／ＦＡＸモードについて説明するための図である。
【図５】ＭＦＰが遷移する電力モードについて説明するための図である。
【図６】ＦＡＸモードに設定された状態でスーパースリープモード時に呼出信号が検出された場合の処理を示すフロー図である。
【図７】電話／ＦＡＸモードに設定された状態でスーパースリープモード時に呼出信号が検出された場合の処理を示すフロー図である。
【発明を実施するための形態】
【００２２】
以下、図面を参照して本発明の好適な実施形態について詳細に説明する。まず、実施形態に係るファクシミリ装置が搭載されたＭＦＰ（Ｍｕｌｔｉｆｕｎｃｔｉｏｎ  Ｐｅｒｉｐｈｅｒａｌ）の構成について説明する。最初に図１を参照して、ＭＦＰ１の全体構成について説明し、続いて図２を参照して、着信時に機能する構成要素についてより詳細に説明する。図１は、ＭＦＰ１の構成を示すブロック図である。図２は、ＭＦＰ１が備えるＣＰＵ、モデム、及びＮＣＵの構成を説明するための図である。
【００２３】
ＭＦＰ１は、プリント機能、スキャン機能、コピー機能、ＦＡＸ（ファクシミリ）機能、ＩＦＡＸ（インターネットＦＡＸ）機能、及びサーバ機能を備えたネットワーク複合機である。このＭＦＰ１は、利用されていないときには、省電力化のために、外部からの入力を検出する部分を除いて通電を停止し、省エネルギー状態に移行する。この省エネルギー状態で着信があった際に、ＭＦＰ１は、起動処理を開始し、発呼側から送信されたＣＮＧ（ＣａｌｌｉＮＧ）信号が検出された際に、ＦＡＸの通信処理が開始される。
【００２４】
図１に示されるように、ＭＦＰ１は、スキャナ部１０、プリンタ部１１、ＳＤＲＡＭ１２、統合チップセット１３、操作パネル１４、ネットワーク通信部１５、ＣＰＵ１６、フラッシュＲＯＭ１７、ＳＲＡＭ１８、モデム１９、及びＮＣＵ２０を備えている。
【００２５】
スキャナ部１０は、例えばＣＣＤ等によって構成され、紙文書等を光学的に読み取って画像データを生成する。ＦＡＸの送信が行われる際には、スキャナ部１０によって生成された画像データがＦＡＸデータとして送信される。
【００２６】
プリンタ部１１は、ＦＡＸの受信が行われた際に得られるＦＡＸデータ等、各種の画像データを印刷する。このプリンタ部１１は、特許請求の範囲に記載の印刷手段として機能する。また、このプリンタ部１１は、特許請求の範囲に記載の処理手段として機能する。本実施形態に係るプリンタ部１１は、電子写真方式により印刷を行うプリンタであり、感光体ドラム、帯電ローラ、光源、転写ローラ、及び熱定着器等により構成されている。熱定着器は、一対のローラで構成され、トナーが転写された用紙を挟んで、加熱することにより、用紙にトナーを定着させる。省エネルギー状態において、プリンタ部１１に対する通電が停止され、熱定着器の温度が下がると、印刷を行うためには、再び印刷可能な温度まで加熱する必要がある。このため、プリンタ部１１の起動処理には、時間が比較的長くかかる。
【００２７】
ＳＤＲＡＭ１２は、画像メモリとして機能し、ＦＡＸデータを含む各種の画像データを記憶する。統合チップセット１３は、スキャナ部１０、プリンタ部１１、及びＳＤＲＡＭ１２と接続されている。また、統合チップセット１３は、システムバス９１を介してＣＰＵ１６とデータの入出力が可能に構成されている。この統合チップセット１３は、ＳＤＲＡＭ１２のメモリコントローラとして機能するブロック、ＦＡＸデータを含む各種の画像データに対する画像処理を実行するブロック等を含んで構成されている。
【００２８】
操作パネル１４は、操作ボタンとＬＣＤ（Ｌｉｑｕｉｄ  Ｃｒｙｓｔａｌ  Ｄｉｓｐｌａｙ）とを有し、ユーザは、ＬＣＤに表示された情報を参照しながら操作ボタンを利用してＭＦＰ１に対する操作を行うことができる。
【００２９】
ネットワーク通信部１５は、ＰＨＹ回路６１、ネットワーク処理を行うためのＮＷ−サブＣＰＵ６２及びＮＷ−ＣＰＵ６３を有している。これにより、ネットワーク通信部１５は、ＬＡＮ（Ｌｏｃａｌ  Ａｒｅａ  Ｎｅｔｗｏｒｋ）９２を介して接続された外部装置との間でデータの送受信を行うためのネットワークインターフェースとして機能する。また、ネットワーク通信部１５には、画像データを記憶するストレージ６４を有している。このストレージ６４には、例えば、スキャナ部１０により生成された画像データ、受信されたＦＡＸデータ等が記憶される。また、ストレージ６４として、例えば、ＨＤＤ（ハードディスクドライブ）、ＣＦ（コンパクトフラッシュ（登録商標））等を用いることができる。
【００３０】
ネットワーク通信部１５は、パーソナルコンピュータ等の外部装置から画像データを要求するメッセージ等が送信されると、ストレージ６４からＲＡＭ等にロードされた画像データを読み込んで、要求された画像データを含む応答メッセージを返信する。これにより、ＭＦＰ１内に記憶された画像データをパーソナルコンピュータ等の外部の装置へ提供することができる。すなわち、ネットワーク通信部１５によって画像データのサーバとしての機能が発揮される。なお、ＰＨＹ回路６１、ＮＷ−サブＣＰＵ６２、及びＮＷ−ＣＰＵ６３によって、特許請求の範囲に記載の提供手段としての機能が発揮され、ストレージ６４が、特許請求の範囲に記載の記憶手段として機能する。
【００３１】
また、ネットワーク通信部１５は、ローカルバス９３を介して統合チップセット１３とデータの入出力が可能に構成されている。このネットワーク通信部１５は、統合チップセット１３から出力されたＩＦＡＸ用の画像データを電子メールに添付し、ＬＡＮ９２を介して送信する。また、ネットワーク通信部１４は、ＬＡＮ９２から送信された電子メールを受信し、受信した電子メールに添付された画像データを統合チップセット１３へ出力する。このネットワーク通信部１５の機能により、ＩＦＡＸ機能が発揮される。
【００３２】
ＣＰＵ１６、フラッシュＲＯＭ１７、ＳＲＡＭ１８、及びモデム１９は、システムバス９１を介してデータの入出力が可能に構成されている。ＣＰＵ１６は、ＤＲＡＭ等にロードされたプログラムを読み込んで、ＭＦＰ１が有する各構成要素を統合的に制御する。ＣＰＵ１６が実行するプログラムは、フラッシュＲＯＭ１７に記憶されている。また、ＣＰＵ１６が処理を行うために必要な各種の設定データ、及びエラー情報等は、ＳＲＡＭ１８に記憶されている。
【００３３】
モデム１９は、ＦＡＸの送信時には、入力したＦＡＸデータを用いて変調し、ＮＣＵ２０へ出力する。ＦＡＸの受信時には、モデム１９は、ＮＣＵ２０から出力されたＦＡＸ信号の復調を行い、ＦＡＸデータを取得する。得られたＦＡＸデータは、プリンタ部１１によって印刷される。ＮＣＵ（Ｎｅｔｗｏｒｋ  Ｃｏｎｔｒｏｌ  Ｕｎｉｔ）２０は、モデム１９とＰＳＴＮ（公衆電話回線網；Ｐｕｂｌｉｃ  Ｓｗｉｔｃｈｅｄ  Ｔｅｌｅｐｈｏｎｅ  Ｎｅｔｗｏｒｋ）９４との接続を制御する。また、ＮＣＵ２０は、付属電話機３とＰＳＴＮ９４との接続を制御する。
【００３４】
引き続いて図２を参照して、ＣＰＵ１６、モデム１９、及びＮＣＵ２０の構成についてより詳細に説明する。モデム１９は、ＣＮＧ検出部４１を有している。ＣＮＧ検出部４１は、ＰＳＴＮ９４を介して送信されるＣＮＧ信号の検出を行う。このＣＮＧ信号は、ＦＡＸの通信処理の手順において、発呼側から着呼側へ最初に送信される信号である。ＣＮＧ信号を受信した着呼側の装置は、発呼側の装置がＦＡＸデータを送信するために接続を要求したことを認識できる。ＣＮＧ検出部４１は、ＣＮＧ信号を検出した時に、その旨をＣＰＵ１６へ通知する。
【００３５】
ＮＣＵ２０は、ＡＦＥ（Ａｎａｌｏｇ  Ｆｒｏｎｔ  Ｅｎｄ）２１、呼出信号検出回路２２、擬似信号発生回路２３、フック検出部２４、及び、接続回路２５を備えている。
【００３６】
ＡＦＥ２１は、ＦＡＸの受信時には、ＰＳＴＮ９４から変圧器を介して入力されたＦＡＸ信号を、内蔵するＡ／Ｄ変換器によってアナログ信号からデジタル信号に変換してモデム１９へ出力する。出力されたＦＡＸ信号は、モデム１９によって復調される。また、ＦＡＸの送信時には、ＡＦＥ２１は、モデム１９によって変調されたＦＡＸ信号をＡ／Ｄ変換器によってデジタル信号からアナログ信号に変換してＰＳＴＮ９４へ出力する。すなわち、モデム１９及びＡＦＥ２１を含むＦＡＸ通信部３０によって、ＦＡＸの通信処理が行われる。このＦＡＸ通信部３０は、特許請求の範囲に記載のＦＡＸ通信手段として機能する。
【００３７】
呼出信号検出回路２２は、ＰＳＴＮ９４から送信される呼出信号を検出するための回路である。この呼出信号検出回路２２は、特許請求の範囲に記載の検出手段として機能する。呼出信号検出回路２２は、信号を検出した時、ＣＰＵ１６へ割り込み信号を出力する。
【００３８】
擬似信号発生回路２３は、電話回線の確立後、疑似的な呼出信号を付属電話機３へ出力する。これにより、電話回線が確立した後は、ＰＳＴＮ９４から送信される呼出信号が途絶えるが、擬似呼出信号によって付属電話機３の呼出音を鳴らすことができる。
【００３９】
フック検出部２４は、付属電話機３のオンフック及びオフフックを検出する。付属電話機３の受話器が取られた時、付属電話機３のフックスイッチ３１がオンとなり、フック検出部２４は、受話器のオフフックを検出する。この時、フック検出部２４からＣＰＵ１６へ出力されるフックスイッチ出力信号が立ち上がる。その後、受話器が付属電話機３に戻された時、付属電話機のフックスイッチ３１がオフとなり、フック検出部２４は、受話器のオンフックを検出する。この時、フックスイッチ出力信号が立ち下がる。
【００４０】
接続回路２５は、第１のスイッチ２６と第２のスイッチ２７とを有している。第１のスイッチ２６は、ＣＰＵ１６による制御に基づいて、ＰＳＴＮ９４に対する接続をＦＡＸ通信部３０が接続された回路と呼出信号検出回路２２が接続された回路２８との間で切り替える。第２のスイッチ２７は、ＣＰＵ１６による制御に基づいて、付属電話機３に対する接続を擬似信号発生回路２３と回路２８との間で切り替える。接続回路２５は、第１のスイッチ２６及び第２のスイッチ２７を用いて、ＰＳＴＮ９４に対する接続をＦＡＸ通信部３０と付属電話機３との間で切り替えることができる。
【００４１】
初期状態では、図２に示されるように、第１のスイッチ２６及び第２のスイッチ２７が回路２８に接続されている。すなわち、初期状態では、ＰＳＴＮ９４と付属電話機３とが回路２８を介して接続されている。このため、着信時には、ＰＳＴＮ９４から送信された呼出信号が、付属電話機３へ出力され、付属電話機３の呼出ベルが鳴動する。また、回路２８に設けられた呼出信号検出回路２２によって呼出信号が検出される。
【００４２】
その後の接続回路２５による切替動作は、設定された着信モードに応じて行われる。本実施形態のＭＦＰ１では、ＦＡＸモード又は電話／ＦＡＸモードに着信モードが設定される。まず、図２及び図３を参照して、ＦＡＸモードについて説明すると共に、ＦＡＸモードにおける接続回路２５の切替動作について説明する。図３は、ＦＡＸモードについて説明するための図である。ＦＡＸモードは、ＦＡＸ専用で自動受信するモードである。ＭＦＰ１は、ＦＡＸモードに設定されている場合、電話回線の確立後にＦＡＸの受信動作へ移行する。
【００４３】
ＭＦＰ１は、ＦＡＸモードにおいて着信があった場合、付属電話機３の呼出ベルが設定された回数だけ鳴動して、電話回線が確立した後、ＰＳＴＮ９４とＦＡＸ通信部３０とが接続されるように第１のスイッチ２６を切り替えて、ＣＮＧ信号を検出可能な状態に移行する。これにより、図３に示すように、相手がＦＡＸの場合、付属電話機３の呼出ベルが設定された回数だけ鳴動した（ステップＳ１）後、ＣＮＧ信号が検出され、ＦＡＸ通信部３０によるＦＡＸの通信処理が開始される。そして、ＦＡＸの受信が自動的に開始される（ステップＳ２）。一方、相手が電話の場合、付属電話機３の呼出ベルが鳴動中に受話器が取られると、そのまま通話が可能な状態となる（ステップＳ３）。
【００４４】
次に、図２及び図４を参照して、電話／ＦＡＸモードについて説明すると共に、電話／ＦＡＸモードにおける接続回路２５の切替動作について説明する。図４は、電話／ＦＡＸモードについて説明するための図である。電話／ＦＡＸモードは、電話を優先してＦＡＸの自動受信も行うモードである。ＭＦＰ１は、電話／ＦＡＸモードに設定されている場合、電話回線の確立後に通話とＦＡＸの受信とを切り替えることができる。
【００４５】
ＭＦＰ１は、電話／ＦＡＸモードにおいて着信があった場合、付属電話機３の呼出ベルが設定された回数だけ鳴動して電話回線が確立した後、第１のスイッチ２６と第２のスイッチ２７との双方を切り替える。すなわち、ＭＦＰ１は、ＰＳＴＮ９４とＦＡＸ通信部３０とが接続されるように第１のスイッチ２６を切り替えて、モデム１９のＣＮＧ検出部４１によってＣＮＧ信号が検出可能な状態となる。また、付属電話機３と擬似信号発生回路２３とが接続されるように第２のスイッチ２７を切り替えるので、擬似信号発生回路２３から出力される擬似呼出信号により、電話回線が確立した後も付属電話機３の呼出ベルを鳴動させることができる。
【００４６】
そして、ＣＮＧ信号が検出された場合、すなわち、相手がＦＡＸである場合は、そのままＦＡＸの通信処理を開始する。これにより、図４に示すように、相手がＦＡＸの場合、付属電話機３の呼出ベルが設定された回数だけ鳴動した（ステップＳ１１）後、ＣＮＧ信号が検出され、ＦＡＸ通信部３０によるＦＡＸの通信処理が開始される。そして、ＦＡＸの受信が自動的に開始される（ステップＳ１２）。
【００４７】
一方、相手が電話の場合、受信状態となった後、擬似呼出信号によって呼出ベルが鳴動し（ステップＳ１３）、呼出ベルが鳴動中に受話器が上がると、オフフックがフック検出部２４によって検出される。そして、ＰＳＴＮ９４と回路２８が接続されるように第１のスイッチ２６が切り替わり、回路２８と付属電話機３が接続されるように第２のスイッチ２７が切り替わる。すなわち、接続回路２５は、擬似呼出信号が付属電話機３へ出力されている間に、オフフックが検出された場合、ＰＳＴＮ９４に対する接続を付属電話機３に切り替える。これにより、通話が可能な状態となる（ステップＳ１４）。
【００４８】
従って、電話／ＦＡＸモードでは、電話回線が確立した後、モデム１９によるＣＮＧ信号の検出が可能な状態となる一方で、付属電話機３の呼出音を鳴動させることができる。これにより、電話回線が確立した時点では、通話とＦＡＸとのいずれが行われるか不明であるが、相手に合わせて通話とＦＡＸとを切り替えることができる。
【００４９】
図２に戻って、ＣＰＵ１６は、着信モード設定部５１、判定部５２、通電制御部５３、及びＦＡＸ制御部５４を備える。着信モード設定部５１は、着信モードを上述したＦＡＸモード又は電話／ＦＡＸモードに設定する。この着信モードの設定は、例えば、ユーザの操作に応じて行われる。
【００５０】
判定部５２は、呼出信号検出回路２２によって検出された信号の波形に基づいて、検出された信号が呼出信号か否かを判定する。すなわち、判定部５２は、呼出信号検出回路２２によって検出された信号が、ノイズではなく、正しい呼出信号か否かを判定する。この判定部５２は、特許請求の範囲に記載の判定手段として機能する。判定部５２は、例えば、呼出信号検出回路２２によって検出された信号が、４００Ｈｚの信号を１６Ｈｚ程度の信号で変調した信号であり、断続数が２０［ＩＰＭ］程度である場合に、呼出信号であると判定する。
【００５１】
通電制御部５３は、ＭＦＰ１の利用状況等に基づいて決定された電力モードに応じて、電源部６０を制御することにより、ＭＦＰ１の構成要素に対する通電を制御する。この通電制御部５３は、特許請求の範囲に記載の通電制御手段として機能する。図５を参照して、電力モードについて説明する。図５は、ＭＦＰ１が遷移する電力モードについて説明するための図である。ＭＦＰ１は、電源がオンのときには、図５に示される３つの電力モードのいずれかに設定される。３つの電力モードは、レディモード、ディープスリープモード、及びスーパースリープモードである。なお、３つの電力モードのうちディープスリープモード、及びスーパースリープモードが、省エネルギー状態に相当する。
【００５２】
レディモードは、プリント機能、スキャン機能、コピー機能、ＦＡＸ機能、ＩＦＡＸ機能、及びサーバ機能を含むいずれの機能も発揮可能な状態であり、ＭＦＰ１が備える全ての構成要素に電源部６０から電力が供給されている。ＭＦＰ１は、電源がオンになると、レディモードに移行する。そして、ＭＦＰ１は、レディモードにおいて、ＦＡＸの受信、プリントジョブの要求等が一定時間なかった場合に、ディープスリープモードに移行する。
【００５３】
ディープスリープモードは、スキャナ部１０及びプリンタ部１１に対する通電が停止され、それ以外の構成要素には電力が供給されている状態である。ディープスリープモードでは、ネットワーク通信部１５に対して電力が供給されているので、ＭＦＰ１は、外部装置からの要求に応じて画像データを提供する等、サーバとしての機能を発揮することができる。ＭＦＰ１は、ディープスリープモードにおいて、ＦＡＸの受信、プリントジョブの要求等があった場合は、レディモードへ復帰する。また、ＭＦＰ１は、ディープスリープモードにおいて、ジョブの要求及びネットワークからの応答要求等が一定時間なかった場合に、スーパースリープモードに移行する。
【００５４】
スーパースリープモードに移行する際には、ディープスリープモードから更に、ＳＤＲＡＭ１２、統合チップセット１３、フラッシュＲＯＭ１７に対する通電が停止される。ＭＦＰ１は、スーパースリープモードにおいて、ユーザによってレディモードに復帰するための操作が行われた場合にレディモードへ復帰する。
【００５５】
また、スーパースリープモードでは、ネットワーク通信部１５に対する通電は停止される。但し、パケットの検出を行うために、ネットワーク通信部１５のＰＨＹ回路６１及びＮＷ−サブＣＰＵ６２に対してのみ電力が供給される。スーパースリープモードでは、ネットワーク通信部１５の構成要素のうちＰＨＹ回路６１及びＮＷ−サブＣＰＵ６２以外のストレージ６４及びＮＷ−ＣＰＵ６３等には電力が供給されていない。このため、スーパースリープモードでは、ネットワーク通信部１５は、サーバとしての機能を発揮することができない。すなわち、スーパースリープモードでは、サーバとして機能するネットワーク通信部１５としては、通電が停止された状態となる。なお、スーパースリープモードにおいて、ＰＨＹ回路６１及びＮＷ−サブＣＰＵ６２によって処理できないパケットが検出された場合に、割り込み信号がＮＷ−サブＣＰＵ６２からメインのＣＰＵ１６へ出力され、ＭＦＰ１は、ディープスリープモードへ復帰する。
【００５６】
また、スーパースリープモードでは、モデム１９、ＮＣＵ２０が有するＡＦＥ２１及び擬似呼出信号発生回路２３に対する通電が停止される。すなわち、スーパースリープモードは、ＡＦＥ２１及びモデム１９によって構成されるＦＡＸ通信部３０に対する通電が停止される。但し、ＮＣＵ２０では、スーパースリープモードにおいて、呼出信号の検出を行うために、呼出信号検出回路２２にのみ電力が供給されている。
【００５７】
ＭＦＰ１は、着信モードがＦＡＸモードに設定されている場合、スーパースリープモードにおいて入力された信号が呼出信号検出回路２２によって検出され、その入力信号が呼出信号であると判定された際に、レディモードに復帰する。すなわち、通電制御部５３は、ネットワーク通信部１５全体、ＦＡＸ通信部３０、及びプリンタ部１１に対する通電が停止されている状態で、呼出信号が検出された際に、ネットワーク通信部１５全体、ＦＡＸ通信部３０、及びプリンタ部１１に対する通電を開始する。
【００５８】
また、ＭＦＰ１は、着信モードが電話／ＦＡＸモードに設定されている場合、スーパースリープモードにおいて入力された信号が呼出信号検出回路２２によって検出され、その入力信号が呼出信号であると判定された際に、ディープスリープモードに移行する。そして、起動が完了したＦＡＸ通信部３０のＣＮＧ検出部４１によって、ＣＮＧ信号が検出された際に、レディモードに復帰する。すなわち、通電制御部５３は、電話／ＦＡＸモードに設定され、且つ、ネットワーク通信部１５、ＦＡＸ通信部３０、プリンタ部１１に対する通電が停止されている状態で呼出信号が検出された際に、ネットワーク通信部１５全体及びＦＡＸ通信部３０に対する通電を開始する。そして、起動が完了したＦＡＸ通信部３０のＣＮＧ検出部４１によってＣＮＧ信号が検出された際に、通電制御部５３は、プリンタ部１１に対する通電を開始する。
【００５９】
一般的に、プリンタ部１１は、熱定着器が印刷可能な温度に達するまでに比較的長い時間を要するため、起動の完了がＦＡＸ通信部３０より遅くなる。また、ネットワーク通信部１５は、ストレージ６４に多くの画像データが蓄積されている場合、一般的に初期化処理に比較的長い時間を要するため、起動の完了がＦＡＸ通信部３０より遅くなる。
【００６０】
そこで、ＦＡＸ制御部５４は、起動が完了したＦＡＸ通信部３０によってＣＮＧ信号が検出された際に、プリンタ部１１及びネットワーク通信部１５において行われている起動処理と並行して、ファクシミリの通信処理を開始させる。すなわち、起動が完了したＦＡＸ通信部３０は、ＣＮＧ信号を検出した際に、プリンタ部１１及びネットワーク通信部１５を含むＭＦＰ１の各構成要素において行われている起動処理と並行して、ファクシミリの通信処理を開始する。
【００６１】
具体的には、ＦＡＸ制御部５４の制御に応じて、ＦＡＸ通信部３０は、ＣＮＧ信号に対する応答信号としてＤＩＳ信号（デジタル識別信号）を発呼側の装置に送信し、ＦＡＸの通信処理を開始する。ＦＡＸ通信部３０は、ＩＴＵ−Ｔ  Ｔ．３０に規定されたＧ３ファクシミリの伝送手順に従って、ＤＩＳ信号の送信に続く通信処理について行い、ＦＡＸデータを受信する。受信されたＦＡＸデータは、プリンタ部１１によって印刷される。
【００６２】
ところで、従来から、ＦＡＸのメモリ受信という機能を有するファクシミリ装置がある。このメモリ受信という機能は、ＦＡＸデータの受信時に、印刷ができない場合、又は用紙を節約するために印刷を行わない場合等に、印刷処理を行わずに、メモリにＦＡＸデータを保存する機能である。このメモリ受信機能を有しているファクシミリ装置には、ファクシミリの通信処理の開始時、又は１頁目のＦＡＸデータを受信した時に、プリンタが印刷を開始できる状態でない場合に、メモリ受信を行うものがある。
【００６３】
これに対して、本実施形態に係るプリンタ部１１は、通信処理と並行して起動処理を行った場合、該起動処理の完了後、受信されたＦＡＸデータの印刷を行う。すなわち、ファクシミリの通信処理の開始時、又は１頁目のＦＡＸデータを受信した時に、プリンタ部１１が印刷を開始できる状態でない場合であっても、メモリ受信を行わずに、起動処理の完了後、受信されたＦＡＸデータの印刷を行う。
【００６４】
引き続いて、図６を参照して、ＭＦＰ１の動作について説明すると共に、ＦＡＸモードに設定された状態でスーパースリープモード時に呼出信号が検出された場合の処理について説明する。図６は、ＦＡＸモードに設定された状態でスーパースリープモード時に呼出信号が検出された場合の処理を示すフロー図である。本処理は、呼出信号検出回路２２が入力された信号を検出し、割込信号が呼出信号検出回路２２からＣＰＵ１６へ出力された時に開始される。
【００６５】
ステップＳ１０１では、スーパースリープモードからの復帰か否かが、ＣＰＵ１６において判断される。電源がオフの状態からの復帰である場合は、本処理は終了する。一方、スーパースリープモードからの復帰である場合、ステップＳ１０２へ処理が移行する。ステップＳ１０２では、呼出信号検出回路２２によって検出された信号の波形に基づいて、検出された信号が呼出信号か否かが判定される。検出された信号がノイズ等であり、呼出信号でないと判定された場合は、本処理は終了する。一方、検出された信号が呼出信号であると判定された場合、ステップＳ１０３へ処理が移行する。
【００６６】
ステップＳ１０３では、スーパースリープモードからレディモードへの復帰処理が開始される。すなわち、ＦＡＸ通信部３０、ネットワーク通信部１５、プリンタ部１１を含むＭＦＰ１を構成する全ての構成要素に対して通電が開始される。そして、ステップＳ１０４〜ステップＳ１０６では、ＦＡＸ通信部３０、ネットワーク通信部１５、プリンタ部１１を含む各構成要素において、それぞれ並行して起動処理が開始される。
【００６７】
そして、ステップＳ１０７で、ＦＡＸ通信部３０の起動処理が完了した後、ステップＳ１０８で、ＣＮＧ信号が、ＦＡＸ通信部３０によって検出されたか否かが判断される。ＣＮＧ信号が検出されなかった場合は、本処理は終了する。ＣＮＧ信号が検出された場合は、処理がステップＳ１０９へ移行する。ステップＳ１０９では、ＦＡＸの通信処理が、ネットワーク通信部１５及びプリンタ部１１の起動処理と並行して開始される。
【００６８】
ステップＳ１１０で、ＦＡＸデータの受信が全て完了し、ＦＡＸの通信処理が完了した後、プリンタ部１１の起動完了（ステップＳ１１１）を待って、ステップＳ１１２では、ＦＡＸデータが用紙にプリントされる。一方、ステップＳ１１３で、ネットワーク通信部１５の起動が完了し、ＭＦＰ１がレディモードへ完全に復帰した後、本処理が終了する。以上説明したように、ＦＡＸモードに設定されている場合、呼出信号が検出されると、スーパースリープモードからレディモードへの復帰処理と並行して、ＦＡＸの通信処理が行われる。
【００６９】
次に、図７を参照して、ＭＦＰ１の動作について説明すると共に、電話／ＦＡＸモードに設定された状態でスーパースリープモード時に呼出信号が検出された場合の処理について説明する。図７は、電話／ＦＡＸモードに設定された状態でスーパースリープモード時に呼出信号が検出された場合の処理を示すフロー図である。本処理は、呼出信号検出回路２２が入力された信号を検出し、割込信号が呼出信号検出回路２２からＣＰＵ１６へ出力された時に開始される。
【００７０】
ステップＳ１２１では、スーパースリープモードからの復帰か否かが、ＣＰＵ１６において判断される。電源がオフの状態からの復帰である場合は、本処理は終了する。一方、スーパースリープモードからの復帰である場合、ステップＳ１２２へ処理が移行する。ステップＳ１２２では、呼出信号検出回路２２によって検出された信号が呼出信号か否かが判定される。検出された信号がノイズ等であり、呼出信号でないと判定された場合、本処理は終了する。一方、検出された信号が呼出信号であると判定された場合、ステップＳ１２３へ処理が移行する。
【００７１】
ステップＳ１２３では、スーパースリープモードからディープスリープモードへの移行処理が開始される。すなわち、ネットワーク通信部１５、ＦＡＸ通信部３０に対して通電が開始される。そして、ステップＳ１２４及びステップＳ１２５では、ＦＡＸ通信部３０及びネットワーク通信部１５において、それぞれ並行して起動処理が開始される。
【００７２】
そして、ステップＳ１２６で、ＦＡＸ通信部３０の起動処理が完了した後、ステップＳ１２７で、ＣＮＧ信号が、ＦＡＸ通信部３０によって検出されたか否かが判断される。ＣＮＧ信号が検出されなかった場合は、本処理は終了する。ＣＮＧ信号が検出された場合は、処理がステップＳ１２８及びステップＳ１３０へ移行する。
【００７３】
ステップＳ１２８では、ディープスリープモードからレディモードへの移行処理が開始される。すなわち、スキャナ部１０及びプリンタ部１１に対する通電が開始される。そして、ステップ１２９では、スキャナ部１０及びプリンタ部１１の起動処理がそれぞれ開始される。一方、ステップＳ１３０では、ＦＡＸの通信処理が、スキャナ部１０及びプリンタ部１１の起動処理と並行して開始される。
【００７４】
ステップＳ１３１で、ＦＡＸデータの受信が全て完了し、ＦＡＸの通信処理が完了した後、プリンタ部１１の起動完了（ステップＳ１３２）を待って、ステップＳ１３３において、ＦＡＸデータが用紙にプリントされる。一方、ステップＳ１３４で、ネットワーク通信部１５の起動が完了し、ＭＦＰ１がレディモードへ完全に復帰した後、本処理が終了する。以上説明したように、電話／ＦＡＸモードに設定されている場合、呼出信号が検出されると、ディープスリープモードからレディモードへの移行処理と並行して、ＦＡＸの通信処理が行われる。
【００７５】
以上説明した本実施形態に係るＭＦＰ１によれば、ＦＡＸモードに設定され、スーパースリープモード時に呼出信号が検出された際、ネットワーク通信部１５、ＦＡＸ通信部３０、及びプリンタ部１１に対する通電が開始される。ＦＡＸ通信部３０の起動が完了し、ＣＮＧ信号が検出されると、ネットワーク通信部１５及びプリンタ部１１において行われている起動処理と並行してＦＡＸの通信処理が開始される。これにより、Ｔ１時間以内にＣＮＧ信号に対する応答を確実に行うことができる。従って、省エネルギー状態において着信があった場合であっても、ファクシミリの受信を確実に行うことができる。
【００７６】
また、ＭＦＰ１では、電話／ＦＡＸモードに設定され、スーパースリープモード時に呼出信号が検出された際、ＦＡＸ通信部３０及びネットワーク通信部１５に対する通電が開始される。そして、ＣＮＧ信号が検出された際に、プリンタ部１１に対する通電が開始されると共に、ＦＡＸ通信部３０によってＦＡＸの通信処理が開始される。すなわち、プリンタ部１１及びネットワーク通信部１５において行われている起動処理と並行して、ＦＡＸの通信処理が開始されるので、Ｔ１時間以内にＣＮＧ信号に対する応答を行うことができる。従って、省エネルギー状態において着信があった場合であっても、確実にファクシミリの受信を行うことができる。
【００７７】
そして、ＦＡＸの通信処理が終了し、プリンタ部１１の起動が完了した後、受信されたＦＡＸデータが印刷される。これにより、ＦＡＸの受信が開始された時点でプリンタ部１１の起動が完了していない場合であっても、メモリ受信を行わずに、確実に印刷を行うことができる。
【００７８】
更に、ＭＦＰ１では、呼出信号検出回路２２によって検出された信号の波形に基づいて、検出された信号が呼出信号か否かを判定するので、呼出信号検出回路２２によって検出された信号がノイズであった場合には、ＦＡＸ通信部３０に対する通電は開始されない。すなわち、ノイズを誤って呼出信号として検出することにより、ディープスリープモード又はレディモードに移行することを防止することができる。これにより、更なる省電力化を実現することができる。
【００７９】
以上、本発明の実施の形態について説明したが、本発明は、上記実施形態に限定されるものではなく種々の変形が可能である。例えば、上記実施形態では、ＦＡＸの通信処理が完了してからＦＡＸデータを印刷することとしたが、これに限られない。ＦＡＸの通信処理中にプリンタ部１１の起動が完了した場合に、ＦＡＸの通信処理が終了する前にＦＡＸデータの印刷を開始してもよい。
【００８０】
また、上記実施形態では、画像データに対する処理を行う処理手段として、画像データの印刷を行うプリンタ部１１、及び画像データを蓄積するサーバとして機能するネットワーク通信部１５を備える場合について記載したが、処理手段はこれに限られない。また、上記実施形態では、本発明のファクシミリ装置をＭＦＰに搭載した場合について説明したが、ＦＡＸ通信部３０及びプリンタ部１１を備える単機能のファクシミリ専用機に適用できることは言うまでもない。
【符号の説明】
【００８１】
１  ＭＦＰ
１１  プリンタ部
１５  ネットワーク通信部
１６  ＣＰＵ
１９  モデム
２２  呼出信号検出回路
３０  ＦＡＸ通信部
５２  判定部
５３  通電制御部
６１  ＰＨＹ回路
６２  ＮＷ−サブＣＰＵ
６３  ＮＷ−ＣＰＵ
６４  ストレージ
９４  ＰＳＴＮ
【図１】
2012109764.tif 000003
【図２】
2012109764.tif 000004
【図３】
2012109764.tif 000005
【図４】
2012109764.tif 000006
【図５】
2012109764.tif 000007
【図６】
2012109764.tif 000008
【図７】
2012109764.tif 000009